(57)【要約】  本発明の目的は、無線システムにおけるデータ伝送を制御する方法の改善、無線システムの改善、パケット制御ユニットの改善、及びリモートネットワーク要素の改善、を提供することである。
2007526681.tif 000002
【特許請求の範囲】
【請求項１】
データ伝送を制御する制御ブロック、及びデータブロックを、移動局、パケット制御ユニット、及びリモートネットワーク要素の間で伝達するステップと、
所定の制御ブロック、又はデータブロックの伝送に関連するどの所定のパケット制御ユニットの機能を、前記パケット制御ユニットからリモートネットワーク要素へ配信すべきかを、該パケット制御ユニットによって特定するステップと、
どのパケット制御ユニットの機能を前記リモートネットワーク要素に配信するかについての制御情報を、前記パケット制御ユニットによって、前記リモートネットワーク要素に提供するステップと、
前記リモートネットワーク要素によって、前記パケット制御ユニットから受信された前記制御情報に基づいて、所定の制御ブロック又はデータブロックについて、前記パケット制御ユニットの機能を実施するステップと、
を含むことを特徴とする、無線システムにおけるデータ伝送を制御する方法。
【請求項２】
前記リモートネットワーク要素が、前記無線システムの基地局コントローラ、又はベーストランシーバ局である
ことを特徴とする、請求項１に記載の方法。
【請求項３】
どの所定の配信される機能を実施することを可能にするかを、前記リモートネットワーク要素によって特定するステップ、
をさらに含むことを特徴とする、請求項１に記載の方法。
【請求項４】
前記リモートネットワーク要素によってどの所定の配信される機能をイネーブルするかについての通知を、前記パケット制御ユニットに送信するステップ、
をさらに含むことを特徴とする、請求項３に記載の方法。
【請求項５】
前記制御ブロック及びデータブロックが、アップリンク肯定応答、又は否定応答メッセージを含み、
前記所定のパケット制御ユニットの機能を実施するステップが、アップリンク肯定応答、又は否定応答メッセージを生成、又は操作することを含む
ことを特徴とする、請求項１に記載の方法。
【請求項６】
アップリンク肯定応答、又は否定応答メッセージを操作する前記ステップが、
前記受信された制御データブロックの有効性を特定することと、
前記移動局から受信されたデータブロックが有効であるとき、該データブロックを応答されたとセットし、該データブロックを前記パケット制御ユニットへ転送することと、
前記移動局から受信されたデータブロックが無効であるとき、実ブロックシーケンス番号を否定応答されたとセットすることと、
前記リモートネットワーク要素の最新のデータブロックの状態に基づいて、前記パケット制御ユニットから受信された前記応答メッセージの応答されたビットマップを変更することと、
を含むことを特徴とする、請求項５に記載の方法.
【請求項７】
前記受信された制御情報により、前記パケット制御ユニットによって許可されたとき、前記受信された制御又はデータブロックを、前記生成されたアップリンク肯定応答、又は否定応答メッセージに置き換えるステップ
さらに含むことを特徴とする、請求項５に記載の方法。
【請求項８】
前記パケット制御ユニットから受信された情報に基づいて、前記リモートネットワーク要素によって、様々なアップリンク一時フローを管理するステップと、
前記リモートネットワーク要素によって、前記受信された制御データブロックの有効性を特定するステップと、
前記移動局から受信されたデータブロックが有効であるとき、該データブロックを応答されたとセットし、該データブロックを前記パケット制御ユニットへ転送するステップと、
前記移動局から受信された前記データブロックが無効であるとき、実ブロックシーケンス番号を否定応答されたとセットするステップと、
最後のデータブロックが受信されたとき、アップリンク肯定応答、又は否定応答メッセージを生成するステップと、
前記パケット制御ユニットから受信された前記データブロックを、前記アップリンク肯定応答、又は否定応答メッセージに置き換えるステップと、
をさらに含むことを特徴とする、請求項６に記載の方法。
【請求項９】
前記パケット制御ユニットと前記リモートネットワーク要素との間の前記制御情報を、制御又はデータブロック内で、或いは別個のメッセージを使用することによって、送信する
ことを特徴とする、請求項１に記載の方法。
【請求項１０】
前記制御データブロックが、アップリンク肯定応答、又は否定応答メッセージを含み、
前記所定のパケット制御ユニットの機能を実施するステップが、前記パケット制御ユニットから受信された前記制御情報に基づいて、アップリンク応答ウィンドウを進めることを可能にするために、以前の否定応答されたアップリンクデータブロックを破棄することを含む
ことを特徴とする、請求項１に記載の方法。
【請求項１１】
前記制御データブロックが、ダウンリンク肯定応答、又は否定応答メッセージを含み、
前記所定のパケット制御ユニットの機能を実施するステップが、移動局から受信されたダウンリンク応答メッセージを復号し、否定応答されたデータブロックを再送信することを含む
ことを特徴とする、請求項１に記載の方法。
【請求項１２】
前記否定応答されたデータブロックの前記再送信について、破壊及び変調符号化方式を選択するステップ、
をさらに含むことを特徴とする、請求項１１に記載の方法。
【請求項１３】
リモートネットワーク要素のバッファ内の同じ一時ブロックフローにおいて、否定応答されたデータブロックが存在するとき、データブロックを、最も古い否定応答されたデータブロックに置き換えるステップ、及び
前記移動局から受信されたダウンリンクパケット応答メッセージにより、リモートネットワーク要素の再送信バッファ内で、前記ダウンリンクデータブロックの状態を応答されたと変更するステップ
をさらに含むことを特徴とする、請求項１１に記載の方法。
【請求項１４】
前記パケット制御ユニットの機能を実施するステップは、前記リモートネットワーク要素によってポーリングを実施することを含む
ことを特徴とする、請求項１に記載の方法。
【請求項１５】
所定のポーリング条件が満たされたとき、ポーリングビットをセットするステップ、
をさらに含むことを特徴とする、請求項１４に記載の方法。
【請求項１６】
所定の制御又はデータブロックの伝送に関連するどのパケット制御ユニットの機能を、パケット制御ユニットからリモートリモートネットワーク要素へ配信すべきかを特定するステップは、前記パケット制御ユニットから受信されたメッセージに基づいている、
ことを特徴とする、請求項１に記載の方法。
【請求項１７】
前記パケット制御ユニットによって受信された前記メッセージが、前記移動局と前記パケット無線システムとの間のフロー転送メッセージ、或いは前記移動局から、又はサービング汎用パケット無線サービスサポートノードから受信されるサービス品質メッセージ、を含む
ことを特徴とする、請求項１６に記載の方法。
【請求項１８】
前記制御又はデータブロックが、無線リンク制御、ＲＬＣ／媒体アクセス制御、ＭＡＣ、データブロックを含む
ことを特徴とする、請求項１に記載の方法。
【請求項１９】
データ伝送を制御し、アップリンク肯定応答、又は否定応答メッセージを含む制御ブロック、及びデータブロックを、リモートネットワーク要素を介して、移動局とパケット制御ユニットとの間で伝達するステップと、
所定の制御又はデータブロックの伝送に関連する、どの所定のパケット制御ユニットの機能を、前記パケット制御ユニットからリモートネットワーク要素へ配信すべきかを特定するステップと、
前記特定に基づいて、前記アップリンク肯定応答、又は否定応答メッセージを、前記リモートネットワーク要素によって生成、又は操作するステップと、
を含むことを特徴とする、無線システムにおけるデータ伝送を制御する方法。
【請求項２０】
前記操作するステップは、前記リモートネットワーク要素上の前記データブロックの最新の状態に基づいて、前記パケット制御ユニットから受信された前記アップリンク応答メッセージの応答ビットマップを変更することを含む
ことを特徴とする、請求項１８に記載の方法。
【請求項２１】
前記受信された制御情報により前記パケット制御ユニットによって許可されるとき、前記データブロックを、前記生成されたアップリンク肯定応答、又は否定応答メッセージに置き換えるステップ、
をさらに含むことを特徴とする、請求項１８に記載の方法。
【請求項２２】
データ伝送を制御し、ダウンリンク肯定応答又は否定応答メッセージを含む制御ブロック、及びデータブロックを、移動局、パケット制御ユニット、及びリモートネットワーク要素の間で伝達するステップと、
所定の制御又はデータブロックの前記伝送に関連する、どの所定のパケット制御ユニットの機能を、前記パケット制御ユニットからリモートネットワーク要素へ配信すべきかを特定するステップと、
前記移動局から受信された前記ダウンリンク応答メッセージを、前記リモートネットワーク要素で復号し、前記特定に基づいて、否定応答されたデータブロックを再送信するステップと
を含むことを特徴とする、無線システムにおけるデータ伝送を制御する方法。
【請求項２３】
リモートネットワーク要素、パケット制御ユニット、及び移動局、を備える無線システムであって、
前記無線システムは、該無線システム内のデータ伝送を制御する制御ブロック、及びデータブロックを、前記移動局、前記パケット制御ユニット、及び前記リモートネットワーク要素の間で伝達するように構成され、
前記パケット制御ユニットは、所定の制御又はデータブロックの前記伝送に関連するどの所定のパケット制御ユニットの機能を、該パケット制御ユニットからリモートネットワーク要素へ配信すべきかを特定し、かつ、どのパケット制御ユニットの機能を前記リモートネットワーク要素へ配信するかについての制御情報を、前記リモートネットワーク要素に提供するように構成され、
前記リモートネットワーク要素は、前記パケット制御ユニットから受信された前記制御情報に基づいて、所定の制御ブロック又はデータブロックについて、前記所定のパケット制御ユニットの機能を実施するように構成される
ことを特徴とする無線システム。
【請求項２４】
前記リモートネットワーク要素は、前記無線システムの基地局コントローラ、又はベーストランシーバ局、である
ことを特徴とする、請求項２３に記載の無線システム。
【請求項２５】
前記リモートネットワーク要素はさらに、どの所定の配信された機能を実施することを可能にするか、を特定するように構成される
ことを特徴とする、請求項２３に記載の無線システム。
【請求項２６】
前記リモートネットワーク要素はさらに、どの所定の配信された機能を該リモートネットワーク要素によってイネーブルにするかについての通知を、前記パケット制御ユニットに送信するように構成される
ことを特徴とする、請求項２５に記載の無線システム。
【請求項２７】
前記制御ブロック及びデータブロックは、アップリンク肯定応答、又は否定応答メッセージを含み、
前記リモートネットワーク要素は、前記所定のパケット制御ユニットの機能を実施するとき、前記アップリンク肯定応答又は否定応答メッセージを生成、又は操作するように構成される
ことを特徴とする、請求項２３に記載の無線システム。
【請求項２８】
前記アップリンク肯定応答又は否定応答メッセージを操作するとき、前記リモートネットワーク要素は、
前記受信されたデータブロックの有効性を特定し、
データブロックを応答されたとセットし、前記移動局から受信された前記データブロックが有効であるとき、該データブロックを前記パケット制御ユニットへ転送し、
前記移動局から受信された前記データブロックが無効であるとき、実ブロックシーケンス番号を否定応答されたとセットし、
前記リモートネットワーク要素上の前記データブロックの最新の状態に基づいて、前記パケット制御ユニットから受信された応答メッセージの応答されたビットマップを変更する
ように構成されることを特徴とする、請求項２７に記載の無線システム。
【請求項２９】
前記リモートネットワーク要素は、前記受信された制御情報により前記パケット制御ユニットによって許可されるとき、前記受信されたデータブロックを、前記生成されたアップリンク肯定応答又は否定応答メッセージで置き換えるように構成される
ことを特徴とする、請求項２７に記載の無線システム。
【請求項３０】
前記制御ブロック及びデータブロックは、ダウンリンク肯定応答、又は否定応答メッセージを含み、
前記リモートネットワーク要素は、移動局から受信された前記ダウンリンク応答メッセージを復号し、前記否定応答メッセージを再送信するように構成される
ことを特徴とする、請求項２３に記載の無線システム。
【請求項３１】
リモートネットワーク要素、パケット制御ユニット、及び移動局、を備える無線システムであって、
前記無線システムは、前記移動局、前記パケット制御ユニット、及び前記リモートネットワーク要素の間で、データ伝送を制御し、アップリンク肯定応答又は否定応答メッセージを含む制御及びデータブロックを伝達するように構成され、
前記パケット制御ユニット又はリモートネットワーク要素は、所定の制御データブロックの前記伝送に関連するどの所定のパケット制御ユニットの機能を、該パケット制御ユニットから該リモートネットワーク要素へ配信すべきかを特定するように構成され、
前記リモートネットワーク要素は、前記パケット制御ユニット、又は該リモートネットワーク要素による前記特定に基づいて、前記アップリンク肯定応答又は否定応答メッセージを生成、又は操作するように構成される
ことを特徴とする無線システム。
【請求項３２】
リモートネットワーク要素、パケット制御ユニット、及び移動局、を備える無線システムであって、
前記無線システムは、前記移動局、前記パケット制御ユニット、及び前記リモートネットワーク要素の間で、データ伝送を制御し、ダウンリンク肯定応答又は否定応答メッセージを含む制御ブロック及びデータブロックを伝達するように構成され、
前記パケット制御ユニット又はリモートネットワーク要素は、所定の制御データブロックの前記伝送に関連するどの所定のパケット制御ユニットの機能を、該パケット制御ユニットから該リモートネットワーク要素へ配信すべきかを特定するように構成され、
前記リモートネットワーク要素は、前記移動局から受信された前記ダウンリンク応答メッセージを復号し、前記パケット制御ユニット、又は該リモートネットワーク要素による前記特定に基づいて、否定応答メッセージを再送信するように構成される
ことを特徴とする無線システム。
【請求項３３】
無線システムのパケット制御ユニットであって、
リモートネットワーク要素とともに、制御ブロック及びデータブロックを伝達するための、１又はそれ以上の伝達ユニットと、
該パケット制御ユニットの機能を制御するための制御ユニットと、
を備え、前記制御ユニットはさらに、所定の制御ブロック又はデータブロックの前記伝送に関連するどの所定のパケット制御ユニットの機能を、該パケット制御ユニットから前記リモートネットワーク要素へ配信すべきかを特定するように構成され、
前記伝達ユニットは、どのパケット制御ユニットの機能を前記リモートネットワーク要素へ配信するかについての制御情報を、前記リモートネットワーク要素に提供するように構成される
ことを特徴とする、パケット制御ユニット。
【請求項３４】
無線システムのリモートネットワーク要素であって、
パケット制御ユニット、及び移動局とともに、制御ブロック及びデータブロックを伝達するための、１又はそれ以上のトランシーバと、
該リモートネットワーク要素の機能を制御するための制御ユニットと、
を備え、前記トランシーバはさらに、どの所定のパケット制御ユニットの機能を該リモートネットワーク要素へ配信するかについての制御情報を、前記パケット制御ユニットから受信するように構成され、
前記制御ユニットは、前記パケット制御ユニットから受信された前記制御情報に基づいて、所定の制御ブロック又はデータブロックについて、前記パケット制御ユニットの機能を実施するように構成される
ことを特徴とするリモートネットワーク要素。
【請求項３５】
前記リモートネットワーク要素は、前記無線システムの基地局コントローラ、又はベーストランシーバ局である
ことを特徴とする、請求項３４に記載のリモートネットワーク要素。
【請求項３６】
前記リモートネットワーク要素はさらに、どの所定の配信された機能を実施することを可能にするかを特定するように構成される
ことを特徴とする、請求項３４に記載のリモートネットワーク要素。
【請求項３７】
前記制御ブロック及びデータブロックは、アップリンク肯定応答又は否定応答メッセージを含み、
前記リモートネットワーク要素は、前記所定のパケット制御ユニットの機能を実施するとき、前記アップリンク肯定応答又は否定応答メッセージを生成、又は操作するように構成される
ことを特徴とする、請求項３４に記載のリモートネットワーク要素。
【請求項３８】
前記制御ブロック及びデータブロックは、ダウンリンク肯定応答又は否定応答メッセージを含み、
前記リモートネットワーク要素は、移動局から受信された前記ダウンリンク応答メッセージを復号し、かつ前記否定応答メッセージを再送信するように構成される
ことを特徴とする、請求項３４に記載のリモートネットワーク要素。
【請求項３９】
無線システムのベーストランシーバ局であって、
パケット制御ユニット、及び移動局とともに、制御ブロック及びデータブロックを伝達するための、１又はそれ以上のトランシーバと、
該ベーストランシーバ局の機能を制御するための制御ユニットと、
を備え、前記トランシーバはさらに、どの所定のパケット制御ユニットの機能を該ベーストランシーバ局に配信するかについての制御情報を、前記パケット制御ユニットから受信するように構成され、
前記制御ユニットは、前記パケット制御ユニットから受信された前記制御情報に基づいて、所定の制御ブロック又はデータブロックについて、前記パケット制御ユニットの機能を実施するように構成される
ことを特徴とする、ベーストランシーバ局。
【請求項４０】
無線システムの基地局コントローラであって、
パケット制御ユニット、及び移動局とともに、制御ブロック及びデータブロックを伝達するための、１又はそれ以上のトランシーバと、
該基地局コントローラの機能を制御するための制御ユニットと
を備え、前記トランシーバはさらに、どの所定のパケット制御ユニットの機能を該基地局コントローラへ配信するかについての制御情報を、前記パケット制御ユニットから受信するように構成され、
前記制御ユニットは、前記パケット制御ユニットから受信された前記制御情報に基づいて、所定の制御ブロック又はデータブロックについて、前記パケット制御ユニットの機能を実施するように構成される
ことを特徴とする、基地局コントローラ。
【請求項４１】
リモートネットワーク要素、パケット制御ユニット、及び移動局、を備える無線システムであって、
前記リモートネットワーク要素は、前記パケット制御ユニット、及び前記移動局とともに、該無線システムにおけるデータ伝送を制御する制御ブロック、及びデータブロックを伝達するための手段を備え、
前記パケット制御ユニットは、所定の制御ブロック又はデータブロックの伝送に関連するどの所定のパケット制御ユニットの機能を、該パケット制御ユニットから前記リモートネットワーク要素へ配信すべきかを特定し、かつどのパケット制御ユニットの機能を前記リモートネットワーク要素へ配信するかについての制御情報を、前記リモートネットワーク要素に提供するための手段を備え、
前記リモートネットワーク要素は、前記パケット制御ユニットから受信された前記制御情報に基づいて、所定の制御ブロック又はデータブロックについて、前記パケット制御ユニットの機能を実施するための手段、をさらに備える
ことを特徴とする、無線システム。
【発明の詳細な説明】
【技術分野】
【０００１】
本発明は、無線システムにおけるデータ伝送を制御する方法、無線システム、パケット制御ユニット、リモートネットワーク要素、ベーストランシーバ局、及び基地局コントローラ、に関するものである。
【背景技術】
【０００２】
既知の無線システムでは、パケット制御ユニットが、無線インターフェースによる移動局と無線システムとの間の通信を、制御することができる。パケット制御ユニットは、移動局とネットワークとの間の通信において、ＲＬＣ（無線リンク制御）／ＭＡＣ（媒体アクセス制御）プロトコルを使用する。パケット制御ユニットが基地局から離れて設置されるとき、基地局とパケット制御ユニットとの間で使用されるインターフェースがその動作に遅延を加えるので、例えば、ＲＬＣ／ＭＡＣ再送信、及びアップリンク送信許可割り当ては、可能な限り最適には動作していない。
【０００３】
例えば、ＲＬＣラウンドトリップ遅延は、（Ｅ）ＧＰＲＳ（拡張汎用パケット無線サービス）のエンドツーエンド性能の重要な尺度であり、それは、何らかの手段により最適化されるべきである。ラウンドトリップ遅延を減らす１つの方法は、パケット制御ユニットを基地局内に置く「ローカルパケット制御ユニットアーキテクチャ」である。しかしながら、「ローカルパケット制御ユニットアーキテクチャ」における遅延は、主に、利用可能な処理能力により、最小化され、及び制限される。
【０００４】
（Ｅ）ＧＰＲＳベースのネットワークにおけるデータ転送の遅延は、悪い無線状態におけるＶｏＩＰ（Ｖｏｉｃｅ  ｏｖｅｒ  ＩＰ）、及びストリーミングのような遅延感知アプリケーションにおいて、高すぎるものであろう。データフロー上の短休止後の一時ブロックフローの再確立なしにデータ転送が続行することを可能にする一時ブロックフロー解放を遅延させることにより、ＧＰＲＳ仕様が改善された。しかしながら、ＲＬＣ（無線リンク制御）データブロック再送信、及びアップリンク方向における移動局への送信許可割り当て、のようないくつかの状況は、遅延を増大し、幾つかの基地局への全てのアップリンク無線送信機許可を浪費させることがある。
【０００５】
（本発明の簡単な説明）
本発明の目的は、無線システムにおけるデータ伝送を制御する方法の改善、無線システムの改善、パケット制御ユニットの改善、及びリモートネットワーク要素の改善、を提供することである。本発明の側面により、無線システム内のデータ伝送を制御する方法が提供される。本方法は、
移動局、パケット制御ユニット、及びリモートネットワーク要素との間で、データ伝送を制御する制御ブロック、及びデータブロックを伝達するステップと、
所定の制御、又はデータブロックの伝送に関連するどの所定のパケット制御ユニットの機能を、パケット制御ユニットからリモートネットワーク要素へ配信すべきか、パケット制御ユニットにより特定するステップと、
どのパケット制御ユニットの機能をリモートネットワーク要素へ配信するかについての制御情報を、パケット制御ユニットにより、リモートネットワーク要素に提供するステップと、
パケット制御ユニットから受信された制御情報に基づいて、所定の制御、又はデータブロックについてのパケット制御ユニットの機能を、リモートネットワーク要素によって実施するステップと、
を含む。
【０００６】
本発明のもう１つの側面により、無線システムにおけるデータ伝送を制御する方法が提供される。本方法は、
リモートネットワークを介して、移動局とパケット制御ユニットとの間で、データ伝送を制御し、アップリンク肯定応答、又は否定応答メッセージを含む制御ブロック、及びデータブロックを伝達するステップと、
所定の制御、又はデータブロックの伝送に関連するどの所定のパケット制御ユニットの機能を、パケット制御ユニットからリモートネットワーク要素へ配信すべきか特定するステップと、
その特定に基づいて、アップリンク肯定応答、又は否定応答を、リモートネットワーク要素により生成、又は操作するステップと、
を含む。
【０００７】
本発明のもう１つの側面により、無線システムにおけるデータ伝送を制御する方法が提供される。本方法は、
移動局、パケット制御ユニットとリモートネットワーク要素との間で、データ伝送を制御し、ダウンリンク肯定応答、又は否定応答メッセージを含む制御ブロック、及びデータブロックを伝達するステップと、
所定の制御、又はデータブロックの伝送に関連する、どの所定のパケット制御ユニットの機能を、パケット制御ユニットからリモートネットワーク要素へ配信すべきか特定するステップと、
その特定に基づいて、移動局から受信されたダウンリンク応答メッセージを、リモートネットワーク要素によって復号し、否定応答されたデータブロックを再送信するステップと
を含む。
【０００８】
本発明のもう１つの側面により、リモートネットワーク要素、パケット制御ユニット、及び移動局を備え、前記移動局、前記パケット制御ユニットと前記リモートネットワーク要素との間で、その無線システム内のデータ伝送を制御する制御ブロック、及びデータブロックを伝達するように構成される無線システムが、提供される。パケット制御ユニットは、所定の制御、又はデータブロックの伝送に関連するどの所定のパケット制御ユニットの機能を、パケット制御ユニットからリモートネットワーク要素へ配信すべきか特定し、どのパケット制御ユニットの機能をリモートネットワーク要素へ配信するかについての制御情報をリモートネットワーク要素へ提供するように構成される。及び、リモートネットワーク要素は、パケット制御ユニットから受信される制御情報に基づいて、所定の制御ブロック、又はデータブロックについて、所定のパケット制御ユニットの機能を実施するように構成される。
【０００９】
本発明のもう１つの側面により、リモートネットワーク要素、パケット制御ユニット、及び移動局を備え、前記移動局、前記パケット制御ユニットと前記リモートネットワーク要素との間で、データ伝送を制御し、アップリンク肯定応答、又は否定応答メッセージを含む制御ブロック、及びデータブロックを伝達するように構成される無線システムが提供される。パケット制御ユニット、又はリモートネットワーク要素は、所定の制御データブロックの伝送に関連するどの所定のパケット制御ユニットの機能を、該パケット制御ユニットから該リモートネットワーク要素へ配信すべきか特定するように構成され、かつ、リモートネットワーク要素は、前記パケット制御ユニット、又は前記リモートネットワーク要素による特定に基づいて、アップリンク肯定応答、又は否定応答メッセージを生成、又は操作するように構成される。
【００１０】
本発明のもう１つの側面により、リモートネットワーク要素、パケット制御ユニット、及び移動局を備え、前記移動局、前記パケット制御ユニット、及び前記リモートネットワーク要素との間で、データ伝送を制御し、ダウンリンク肯定応答、又は否定応答メッセージを含む制御ブロック、及びデータブロックを伝達するように構成される無線システムが提供される。パケット制御ユニット、又はリモートネットワーク要素は、所定の制御データブロックの伝送に関連するどの所定のパケット制御ユニットの機能を、パケット制御ユニットからリモートネットワーク要素へ配信すべきかを特定するように構成される。及び、リモートネットワーク要素は、移動局から受信されたダウンリンク応答メッセージを復号し、前記パケット制御ユニット、又は前記リモートネットワーク要素による特定に基づいて、否定応答メッセージを再送信するように構成される。
【００１１】
本発明のもう１つの側面により、制御ブロック及びデータブロックをリモートネットワーク要素とともに伝達するための１又はそれ以上の伝達ユニット、及びパケット制御ユニットの機能を制御するための制御ユニットを備える、無線システムのパケット制御ユニットが提供される。制御ユニットはさらに、所定の制御ブロック又はデータブロックの伝送に関連するどの所定のパケット制御ユニットの機能を、パケット制御ユニットからリモートネットワーク要素へ配信すべきかを特定するように構成される。及び、伝達ユニットは、どのパケット制御ユニットの機能をリモートネットワーク要素へ配信するかについての制御情報を、リモートネットワーク要素へ提供するように構成される。
【００１２】
本発明のもう１つの側面により、制御ブロック及びデータブロックを、パケット制御ユニット、及び移動局とともに伝達するための１又はそれ以上のトランシーバ、及びそのリモートネットワーク要素の機能を制御するための制御ユニットを備える、無線システムのリモートネットワーク要素が提供される。トランシーバはさらに、どの所定のパケット制御ユニットの機能をリモートネットワーク要素へ配信するかについての制御情報を、パケット制御ユニットから受信するように構成される。及び、制御ユニットは、そのパケット制御ユニットから受信された制御情報に基づいて、所定の制御ブロック、又はデータブロックについてパケット制御ユニットの機能を実施するように構成される。
【００１３】
本発明のもう１つの側面により、パケット制御ユニット及び移動局とともに、制御ブロック及びデータブロックを伝達するための１又はそれ以上のトランシーバ、及びそのベーストランシーバ局の機能を制御するための制御ユニットを備える、無線システムのベーストランシーバ局が提供される。トランシーバはさらに、どの所定のパケット制御ユニットの機能をベーストランシーバ局に配信するかについての制御情報を、パケット制御ユニットから受信するように構成される。及び、制御ユニットは、パケット制御ユニットから受信された制御情報に基づいて、所定の制御ブロック、又はデータブロックについてパケット制御ユニットの機能を実施するように構成される。
【００１４】
本発明の更なる側面により、制御ブロック及びデータブロックを、パケット制御ユニット、及び移動局とともに伝達するための１又はそれ以上のトランシーバ、及びその基地局コントローラの機能を制御するための制御ユニットを備える、無線システムの基地局コントローラが提供される。トランシーバはさらに、どの所定のパケット制御ユニットの機能を基地局コントローラに配信するかについての制御情報を、パケット制御ユニットから受信するように構成される。及び、制御ユニットは、パケット制御ユニットから受信された制御情報に基づいて、所定の制御ブロック、又はデータブロックについてパケット制御ユニットの機能を実施するように構成される。
【００１５】
本発明のもう１つの側面により、その無線システム内のデータ伝送を制御する制御ブロック、及びデータブロックを、パケット制御ユニット、及び移動局とともに伝達するための手段を備えるリモートネットワーク要素、パケット制御ユニット、及び移動局、を備える無線システムが提供される。パケット制御ユニットは、所定の制御ブロック、又はデータブロックの伝送に関連するどの所定のパケット制御ユニットの機能を、そのパケット制御ユニットからリモートネットワーク要素へ配信すべきか特定し、かつどのパケット制御ユニットの機能をリモートネットワーク要素に配信するかについての制御情報を、リモートネットワーク要素へ提供するための手段、を備える。及び、リモートネットワーク要素はさらに、パケット制御ユニットから受信された制御情報に基づいて、所定の制御ブロック、又はデータブロックについてパケット制御ユニットの機能を実施するための手段、を備える。
【００１６】
本発明の実施形態は、幾つかの利点を提供する。ダウンリンク再送信のラウンドトリップ時間を減らす。分散ネットワーク機能は、それを必要とするデータブロックフローについて実施されるのみである。従って、パケット無線システムのリソースを節約する。また、最適な基地局動作を実現する。
【００１７】
以下では、好ましい実施形態、及び添付図面を参照して、本発明をずっと詳細に説明する。
【００１８】
（実施形態の説明）
図１は、無線システムの最も重要な部分、及びネットワークレベルでのそれらの間のインターフェース、を示す簡略ブロック図である。無線システムの主要部は、コアネットワーク（ＣＮ）１００、無線アクセスネットワーク１３０、及びユーザ装置（ＵＥ）１７０である。無線アクセスネットワーク１３０は、広帯域符号分割多重アクセス（ＷＣＤＭＡ）技術により実装することができる。ネットワーク要素の構造、及び機能は、一般的に知られているので、詳細に説明しない。
【００１９】
移動通信交換局（ＭＳＣ）１０２は、無線アクセスネットワーク、及び基地局システム１６０の両方の接続に供するために使用することのできる移動ネットワーク要素である。移動通信交換局１０２のタスクは、交換、ページング、ユーザ装置の位置登録、ハンドオーバ管理、加入者請求額情報の収集、暗号化パラメータ管理、周波数割り当て管理、及びエコーキャンセル、を含む。移動通信交換局１０２の数は変化し得る、すなわち、小さいネットワークのオペレータは、１つの移動通信交換局１０２を有するだけであるが、大きいコアネットワーク１００では、いくつか存在することができる。
【００２０】
大きいコアネットワーク１００は、単独のゲートウェイ移動通信交換局（ＧＭＳＣ）１１０を持つことができ、それは、コアネットワーク１００と外部ネットワーク１８０との間の回線交換接続を引き受ける。ゲートウェイ移動通信交換局１１０は、移動通信交換局１０２と外部ネットワーク１８０との間に置かれる。外部ネットワーク１８０は、例えば、公有地移動ネットワーク（ＰＬＭＮ）、或いは公衆電話ネットワーク（ＰＳＴＮ）とすることができる。
【００２１】
サービングＧＰＲＳサポートノード（ＳＧＳＮ）１１８は、コアネットワーク１００のパケット交換側の中央点である。サービングＧＰＲＳサポートノード１１８の主要なタスクは、基地局システム１６０を使用することにより、パケット交換伝送をサポートする移動局１７０でパケットを送信、及び受信することである。サービングＧＰＲＳサポートノード１１８は、移動局１７０に関連する加入者、及び位置情報を収容する。
【００２２】
ゲートウェイＧＰＲＳサポートノード（ＧＧＳＮ）１２０は、パケット交換側の、回線交換側のゲートウェイ移動通信交換局に対応するものであるが、しかしながら、ゲートウェイＧＰＲＳサポートノード１２０はまた、トラフィックをコアネットワーク１００から外部ネットワーク１８２までルーティングすることができるが、これに対して、ゲートウェイ移動通信交換局は、入力トラフィックをルーティングするのみである、という例外がある。我々の例では、インターネットは、外部ネットワーク１８２を表す。
【００２３】
基地局システム１６０は、基地局コントローラ（ＢＳＣ）１６６、及びベーストランシーバ局（ＢＴＳ）１６２、１６４を備える。基地局コントローラ１６６は、ベーストランシーバ局１６２、１６４を制御する。しばしば、無線経路を実装するデバイス、及びそれらの機能は、ベーストランシーバ局１６２、１６４内に常駐し、制御デバイスは、基地局コントローラ１６６内に常駐する。
【００２４】
基地局コントローラ１６６は、以下のタスクを引き受ける、例えば：ベーストランシーバ局１６２、１６４の無線リソース管理、セル内ハンドオーバ、周波数制御、すなわちベーストランシーバ局１６２、１６４への周波数割り当て、周波数ホッピングシーケンスの管理、アップリンクについての時間遅延測定、操作及び保守インターフェースの実装、及び電力制御、である。
【００２５】
例えば、パケット制御ユニット（ＰＣＵ）１６８は、基地局コントローラ１６６内のコーラスベースのプリプロセッサコンピュータである。パケット制御ユニット１６８はまた、コーラス以外の他のオペレーティングシステムに基づくとすることもできる。例えば、パケット制御ユニット１６８は、基地局コントローラ１６６の基地局コントローラ信号ユニット（ＢＣＳＵ）に接続することもできる。基地局コントローラ１６６は、Ｇｂインターフェース、及び基地局サブシステム１６０内のＲＬＣ／ＭＡＣプロトコル、の両方を実装するためのパケット制御ユニット１６８を必要とする。ＲＬＣ、及びＭＡＣプロトコルは共に、ＵｍインターフェースにおけるＯＳＩ（開放型システム相互接続）レイヤ２プロトコルを形成する。パケット制御ユニット１６８はまた、ベーストランシーバ局１６２、１６４、又はサービングＧＰＲＳサポートノード１１８内に常駐することもできる。しかしながら、明瞭にするために、以下の例では、パケット制御ユニット１６８は、基地局コントローラ１６６内に常駐すると仮定する。
【００２６】
ベーストランシーバ局１６２、１６４は、少なくとも１つのトランシーバを収容し、それは、１つのキャリア、すなわち８つのタイムスロット、すなわち８つの物理チャネルを提供する。典型的には、１つのベーストランシーバ局１６２、１６４が１つのセルを満たすが、１つのベーストランシーバ局１６２、１６４が幾つかの分割されたセルを満たす、という解決策を持つこともまた可能である。ベーストランシーバ局１６２、１６４のタスクは、以下を含む：タイミング進み（ＴＡ）の計算、アップリンク測定、チャネル符号化、暗号化、復号化、及び周波数ホッピング。
【００２７】
無線アクセスネットワーク１３０は、無線ネットワークサブシステム１４０から構成される。各無線ネットワークサブシステム１４０は、無線ネットワークコントローラ１４６、及びＢノード１４２、１４４から構成される。Ｂノードはやや抽象的な概念であり、しばしば、それの代わりに、ベーストランシーバ局という語を使用する。
【００２８】
移動局１７０は、基地局システム１６０への無線リンクを確立するための少なくとも１つのトランシーバ、を備える。移動局１７０は、様々な加入者識別モジュールを収容することができる。さらに、移動局１７０は、アンテナ、ユーザインターフェース、及びバッテリを収容する。今日、例えば、自動車、及び携帯装置内に取り付けられた装置のような、様々な形式の移動局１７０が存在する。個人用、又は携帯型コンピュータについてよりよく知られた機能もまた、移動局１７０内に実装された。
【００２９】
ＵＭＴＳでは、最も重要なインターフェースは、回線交換側のインターフェースｌｕＣＳとパケット交換側のインターフェースｌｕＰＳとに分けられる、コアネットワークと無線アクセスネットワークとの間のｌｕインターフェース、及び無線アクセスネットワークとユーザ装置との間のＵｕインターフェース、である。ＧＳＭ／ＧＰＲＳでは、最も重要なインターフェースは、基地局コントローラと移動通信交換局との間のＡインターフェース、基地局コントローラとサービングＧＰＲＳサポートノードとの間のＧｂインターフェース、及びベーストランシーバ局とユーザ装置との間のＵｍインターフェース、である。Ｕｍインターフェースは、無線によって移動局にパケットデータサービスを提供するためのＧＰＲＳネットワークインターフェースである。そのインターフェースは、様々なネットワーク要素が互いに通信する際に、どの種類のメッセージを使用することができるか、定めている。
【００３０】
図２の例では、第１のベーストランシーバ局１６２が、トランシーバ２０２、アンテナ２０４、及び制御ユニット２００を備える。同様に、第２のベーストランシーバ局１６４は。トランシーバ２１２、アンテナ２１４、及び制御ユニット２１０を備える。基地局コントローラ１６６はまた、制御ユニット２３０を備える。ユーザ装置１７０はまた、標準のトランシーバ２２２、無線リンク２０８、２１８を確立するためのアンテナ２２４、及び制御ユニット２２０を備える。トランシーバ２０２、２１２、２２２は、ＴＤＭＡ技術を使用することができ、それは例えば、標準ＧＳＭシステムのＧＭＳＫ（ガウス型最小シフトキーイング）変調、又はＥＤＧＥ変調、すなわち８−ＰＳＫ（８位相シフトキーイング）変調である。アンテナ２０４、２１４、２２４は、例えば、全方向性アンテナ、又は指向性アンテナビームを使用したアンテナのような標準の従来技術によって実装することができる。
【００３１】
制御ユニット２００、２１０、２２０、２３０は、デバイスの動作を制御するブロックを指し、それは、今日では通常、ソフトウェアを伴うプロセッサを使用して実装されるが、別個のロジック構成要素、又は１又はそれ以上の特定用途向け集積回路（ＡＳＩＣ）から成る回路、のような様々なハードウェア実装もまた可能である。これらの方法の組合せもまた、可能である。
【００３２】
データ転送、及び制御メッセージ転送、の目的のための様々な無線ブロック構造を定める。データ転送のための無線ブロック構造は、ＧＰＲＳ無線システムと、ＥＧＰＲＳ無線システムとで異なるが、これに対して、制御メッセージについては、同じ無線ブロック構造を使用する。
【００３３】
データ転送のための無線ブロックは、ＭＡＣ（媒体アクセス制御）ヘッダ、ＲＬＣ（無線リンク制御）ヘッダ、ＲＬＣ／ＭＡＣヘッダ、ＲＬＣデータブロック、及びＲＬＣ／ＭＡＣ制御メッセージ、を備えることができる。データブロックは、標準バーストによって運搬されることができる。様々なヘッダが制御フィールドを備え、それはアップリンク方向、及びダウンリンク方向において異なる。媒体アクセス制御（ＭＡＣ）、及び無線リンク制御（ＲＬＣ）レイヤは、基準アーキテクチャにおいて、物理リンク層の上で動作する。
【００３４】
ＭＡＣ機能は、複数の移動局が共通の伝送媒体を共有することを可能にする手順を定めており、それは、幾つかの物理チャネルから構成され得る。ＭＡＣ機能は、同時に伝送しようと試みる複数の移動局間の調停を提供し、かつ衝突回避、検出、及び回復手順を提供する。ＲＬＣ機能は、うまく配信できなかったＲＬＣデータブロックのビットマップ選択再送信のための手順を定める。ＲＬＣ／ＭＡＣ機能は、応答されていない動作、及び応答された動作を提供する。
【００３５】
ＧＰＲＳ無線インターフェースは、独立したアップリンク、及びダウンリンクチャネルを備える。ダウンリンクは、ネットワークから複数の移動局までの伝送を運搬し、アップリンクは、移動局が送信し、ベーストランシーバ局が受信する伝送における複数の移動局間で、共有される。例えば、一時フロー識別情報（ＴＦＩ）のような、各ＲＬＣ／ＭＡＣブロック内に含まれる識別子により、様々な移動局におけるＲＬＣ／ＭＡＣブロックを、同じダウンリンクチャネル上で多重化することが可能となる。ネットワークは、割り当てられたダウンリンクチャネル上のダウンリンクの１つの一時ブロックフローに属するＲＬＣ／ＭＡＣブロックを送信する。
【００３６】
移動局がその最後のＲＬＣデータブロックを送信した後、ネットワーク側から、応答メッセージが期待される。最後のブロックを送信した後、否定応答が到着しない限り、移動局は、もはや同じ割り当てを使用することはできない。それはまた、特定の一時ブロックフローに属する全てのＲＬＣデータブロックが正しく受信され、アップリンク一時ブロックフローが解放されるや否や、ネットワーク側が、同じＵＳＦ（アップリンク状態フラグ）を幾人かの他のユーザに再割り当てすることができることを意味する。パケットアップリンクＡＣＫ／ＮＡＣＫメッセージ、又は応答パケット制御ＡＣＫは、失われることがあり、それは再送信につながる。従って、パケット制御ユニットが、移動局がもはやアップリンク一時ブロックフローリソースを使用しないことを確信するまで、パケット制御ユニットは、ｉｄ（ＵＳＦ、ＴＦＩ）を保存しておかなければならない。全てのＲＬＣデータブロックが正しく受信された場合には、ネットワークは、パケットアップリンクＡＣＫ（肯定応答）／ＮＡＣＫ（否定応答）を送信し、それは、保持されたアップリンクブロック期間において、移動局によって即座に応答されるものである。
【００３７】
移動局の臨時ネットワーク起動ポーリングにより、パケットダウンリンクＡＣＫ／ＮＡＣＫメッセージの送信を獲得する。移動局は、保持された無線ブロックにおいて、パケットダウンリンクＡＣＫ／ＮＡＣＫメッセージを送信し、それは、ポーリングと共に割り当てられる。さらに、移動局が、幾つかの更なる信号、又はアップリンクデータを送信する必要がある場合には、それを、パケットダウンリンクＡＣＫ／ＮＡＣＫメッセージ内に示すことができる。
【００３８】
（Ｅ）ＧＰＲＳでは、より強固な符号化方式で正しく復号されなかったパケットデータブロックを再送信する能力が存在する。パケットを送信すると、たとえ無線環境が変わったとしても、それらのパケットは、元の符号化方式を使って再送信しなければならない。
【００３９】
例えば、移動局は、ダウンリンク上のネットワークからデータを受信する。前に受信されたＧＰＲＳ測定レポートに基づいて、基地局コントローラ内のリンク適合アルゴリズムが、次のデータブロックを送信することを決定する。これらのパッケージの伝送の間、搬送波対干渉比が劇的に減少し、無線環境を変える。パケットを送信した後、ネットワークは、新たな測定レポートのためにポーリングし、そのレポートは、どのデータブロックを正しく受信したかをネットワークに伝えるＡＣＫ／ＮＡＣＫビットマップを含んでいる。移動局は、リンク品質、及びビットマップについての情報を含む、パケットダウンリンクＡＣＫ／ＮＡＣＫメッセージで応答する。新たなリンク品質情報に基づいて、ＧＰＲＳリンク適合アルゴリズムは、符号化方式を、新しい無線環境に適応させるであろう。ＧＰＲＳは再区分化することができないので、古いパケットを再送信しなければなない。
【００４０】
応答されるＲＬＣ／ＭＡＣ方式でのＲＬＣデータブロックの転送は、１つの一時ブロックフロー（ＴＢＦ）内のＲＬＣデータブロックの番号付けと結び付けられて、選択ＡＲＱ（自動繰り返し要求）機構によって制御される。送信側（移動局、又はネットワーク）は、ウィンドウ内のブロックを送信し、受信側は、必要なときに、パケットアップリンクＡＣＫ／ＭＡＣＫ、又はパケットダウンリンクＡＣＫ／ＮＡＣＫメッセージを送信する。そのような各メッセージは、示されたブロックシーケンス番号までの、正しく受信された全てのＲＬＣデータブロックに応答し、従って、送信側の送信ウィンドウの開始を「移動させた」。さらに、同じＲＬＣデータブロックで開始するビットマップを使用して、誤って受信されたＲＬＣデータブロックに再送信を選択的に要求する。次に、送信側は、誤ったＲＬＣデータブロックを再送信し、結局、送信ウィンドウをさらにスライドさせるという結果になる。移動局からアップリンクデータを受信するとき、移動局から受信された誤りブロックに基づいて、ネットワークは、再送信のために、更なるリソースを割り当てることができる。
【００４１】
応答されるＲＬＣ／ＭＡＣモードでのＲＬＣデータブロックの転送は、選択的なタイプＩ  ＡＲＱの仕組み、又はタイプＩＩ  複合ＡＲＱ（増分冗長：ＩＲ）の仕組み、によって制御されることができ、１つの一時ブロックフロー内のＲＬＣデータブロックの番号付けと結び付けられる。送信側は、ウィンドウ内のブロックを送信し、受信側は、必要なときに、パケットアップリンクＡＣＫ／ＮＡＣＫ、又はパケットダウンリンクＡＣＫ／ＮＡＣＫメッセージを送信する。リンク品質により、ＲＬＣブロックについて、最初のＭＣＳが選択される。再送信のために、同じＭＣＳ群からの同じ、又は他のＭＣＳを選択することができる。ネットワークは、ＭＣＳの選択を制御する。
【００４２】
ＥＧＰＲＳのタイプＩＩ  複合ＡＲＱ方式では、情報は、最初に、初期符号化レートのうちの１つで送信される、すなわち、レート１／３の符号化データは、選択されたＭＣＳの破壊方式（ＰＳ）１で破壊される。ＲＬＣデータブロックを誤って受信した場合には、更なる符号化ビット、すなわち、優勢なＭＣＳのＰＳ２で破壊されたレート１／３符号化データの出力を送信し、復号化が成功するまで、すでに受信された符号語とともに復号する。例えば、符号化データブロックの様々な破壊されたバージョンのような、全ての符号語を送信した場合には、第１の符号語が送信される。ＭＣＳ−５−７、及びＭＣＳ−６−９、と呼ばれる増分冗長モードを使用することもまた可能であり、そこでは、ＭＣＳ−５、又はＭＣＳ−６のいずれかで、最初の伝送が送信され、ＭＣＳ−７、又はＭＣＳ−９で、再送信が送信される。
【００４３】
本発明の実施形態では、パケット制御ユニット１６８は、所定の制御又はデータブロックの送信に関連するどの所定のパケット制御ユニットの機能を、パケット制御ユニット１６８からリモートネットワーク要素へ配信するか特定し、かつ、どのパケット制御ユニットの機能をリモートネットワーク要素に配信するかについての制御情報を、リモートネットワーク要素に提供する、ように構成される。更には、リモートネットワーク要素は、パケット制御ユニット１６８から受信された制御情報に基づいて、所定の制御又はデータブロックについて、所定のパケット制御ユニットの機能を実施するように構成される。
【００４４】
上記のリモートネットワーク要素は、ベーストランシーバ局１６２、１６４、又は基地局コントローラ１６６、とすることができる。ここから、単純化のため、以下の例は、リモートネットワーク要素は基地局１６２、１６４であり、かつパケット制御ユニット１６８は基地局コントローラ１６６内に常駐する、という状況を説明する。しかしながら、以下の実施形態は、リモートネットワーク要素が基地局１６２、１６４ではなく基地局コントローラ１６６であるとき、及びパケット制御ユニット１６８が基地局１６２、１６４内に常駐するときもまた、実行可能である。
【００４５】
ブロックがどこへ流れるか伝える（ＴＢＦｓ）ために、制御情報を基地局１６２、１６４に提供し、分散再送信シナリオ、又はアップリンク送信許可置換、のような特定の基地局の動作がイネーブルにされる。従って、その制御情報は、操作を実施することを本当に必要とするフローについてのみ、基地局のフロー操作をイネーブルにする。他のフローについては、基地局１６２、１６４は現行のように動作し、すなわち、ＲＬＣ／ＭＡＣブロックの中身を解釈せず、ＵｍとＡｂｉｓとの間でビットを転送する。基地局１６２、１６４の動作を制御し、どのフローを他のフローより重要と考えるかを基地局１６２、１６４に伝えることにより、基地局１６２、１６４の電力が節約され、またＲＬＣ／ＭＡＣも、Ｕｍインターフェース上でより効率よく動作することができる。「特別な注意」を必要としないフローについては、無線リソースが浪費されない。
【００４６】
パケット制御ユニット１６８、基地局１６２、１６４、又は他の装置、又は無線システムは、サービスの品質（ＱｏＳ）、又は移動局１６２、１６４とネットワークとの間でメッセージを転送するフローに関連する他の情報に基づいて、基地局１６２、１６４がフロー処理、及びメッセージ転送に加わるのに必要な特定の特性をフローが持っているかどうか、定めることができる。例えば、幾つかのフローは、基地局１６２、１６４がその基地局１６２、１６４からのダウンリンクＲＬＣデータブロック再送信を可能にする、ことを要求する厳しい遅延要求を持つことができる。他のフローは、パケット制御ユニット１６８がダウンリンクＲＬＣデータブロックを再送信する場合にそれが充分であることを意味する、その厳しい遅延要求を持つことができない。
【００４７】
Ａｂｉｓインターフェース上で使用されるパケット制御ユニットのＴＲＡＵ（符号変換、及びレート適応ユニット）フレーム上で、あるフローについてどの動作をイネーブルにするかを制御する制御情報を、基地局１６２、１６４に転送することができる。また、これのために、他のメッセージを使用することもできる。受信された制御情報に基づいて、基地局１６２、１６４は、所定のフローについて、ＲＬＣ／ＭＡＣ機能のような、幾つかの配信される機能をイネーブル、又はディスエーブルすることができる。
【００４８】
どのパケット制御ユニットの機能が基地局１６２、１６４とパケット制御ユニット１６８との間で配信されるかを伝える制御情報を、前もってオフライン信号方式を使って伝達することが可能である。例えば、所定の移動局のためのＲＬＣ／ＭＡＣブロックを転送するのではないパケット制御ユニットのＴＲＡＵフレーム制御ビットを使用することにより、そのような信号方式を実施することができる。ＧＰＲＳにおいて割り当てられた各無線チャネルについて、２０ｍｓごとに、基地局とパケット制御ユニットとの間で、ＴＲＡＵフレームを転送することができ、従って、配信される機能の制御情報を伝送するＴＲＡＵフレームは、ＲＬＣ／ＭＡＣブロックを所定の移動局に転送できる、ＲＬＣ／ＭＡＣブロックを異なる移動局に転送できる、或いはアイドル、すなわちＲＬＣ／ＭＡＣブロックを含んでいないとすることができる。
【００４９】
ある実施形態では、パケット制御ユニット１６８が、基地局１６２、１６４が所定のパケット制御ユニットの機能をイネーブルすることができるかどうかをオンラインで伝える制御情報を、基地局１６２、１６４に提供する。例えば、パケット制御ユニット１６８は、基地局１６２、１６４に、パケットアップリンクＡＣＫ／ＮＡＣＫメッセージを転送する、同じパケット制御ユニットのＴＲＡＵフレーム内のパケットアップリンクＡＣＫ／ＮＡＣＫビットマップを操作するように伝える。所定の機能を作動させ、次に基地局１６２、１６４が、例えば、パケット制御ユニット１６８からの更なる信号なしで、特定の移動局へ送信される各パケットアップリンクＡＣＫ／ＮＡＣＫビットマップを操作することができることを、パケット制御ユニット１６８が、前もって基地局１６２、１６８に伝えることもまた可能である。また、基地局１６２、１６４の機能は、如何なるときでも、パケット制御ユニット１６８によってオフにすることができる。
【００５０】
ある実施形態では、基地局１６２、１６４が、例えば、無線状態に基づいて幾つかの機能を実施することが有利であることを、特定することができる。所定のパケット制御ユニットの機能をイネーブルにする決定は、前にパケット制御ユニット１６８から受信された制御情報に基づくとすることができる。次に、所定の機能をイネーブルしたとき、基地局１６２、１６４は、パケット制御ユニット１６８に信号を送信することができ、次に、パケット制御ユニット１６８が、基地局１６２、１６４の機能及び動作に基づいて、その動作を変更することができる。このように、基地局１６２、１６４においてパケット制御ユニットの機能をイネーブル、及びディスエーブルすることは、パケット制御ユニット１６８及び／又は基地局１６２、１６４によって制御されることができる。
【００５１】
もう１つの実施形態では、例えば、基地局１６２、１６４は、Ｕｍインターフェースを監視することができ、次に、そのＵｍインターフェースの品質に基づいて、基地局１６２、１６４は、所定のフローが特別な処理を必要としていることを特定することができる。従って、基地局１６２、１６４は、所定の配信されるパケット制御ユニットの機能をイネーブルにし、それについて、パケット制御ユニット１６８に知らせることができる。これは、無線チャネルの使用、及び／又はフローの使用、を最適化するであろう。次に、パケット制御ユニット１６８、及び基地局１６２、１６４の両方によって、所定の配信されるパケット制御ユニットの機能をイネーブルすることが決定されて、例えば、フロー、又はＵｍ挙動、のいずれかを最適化することができる。
【００５２】
パケット制御ユニット１６８、又は基地局１６２、１６４は、所定のブロックについて、そのパケット制御ユニット１６８と基地局１６２、１６４との間で、ＲＬＣ／ＭＡＣ機能のような所定の制御データブロックの伝送に関連する配信される機能をイネーブルするかどうかを、ＱｏＳ情報に基づいて決定することができる。サービングＧＰＲＳサポートノード１１８、又は移動局１７０から、ＱｏＳ情報を受信することができる。パケット制御ユニット１６８と基地局１６２、１６４との間で、幾つかの配信され卯機能をイネーブル、又はディスエーブルする場合、パケット制御ユニット１６８は、パケット制御ユニットのＴＲＡＵフレーム制御ビットを使って、Ａｂｉｓを介して、基地局１６２、１６４に通知する。次に、基地局１６２、１６４は、Ａｂｉｓインターフェースを介してパケット制御ユニット１６８から受信された制御情報により、動作する。例えば、パケット制御ユニットのＴＲＡＵフレームは各配信される機能についてのビットを含み、ビットの位置（０／１）に基づいて、基地局１６２、１６４は、所定の機能をイネーブル、又はディスエーブルすることができる。
【００５３】
ある実施形態では、基地局１６２、１６４は、パケット制御ユニット１６８からの制御情報に基づいて、パケット制御ユニット１６８から受信したＡＣＫ／ＮＡＣＫメッセージを操作することができる。例えば、基地局１６２、１６４は、基地局１６２、１６４上のＲＬＣブロックの状態によって、アップリンクＡＣＫ／ＮＡＣＫメッセージを操作することができる。ＡＣＫ／ＮＡＣＫメッセージを操作するときには、既にアップリンクＲＬＣブロックを処理するアップリンク増分冗長の仕組みを、基地局１６２、１６４が再利用することが可能である。ラウンドトリップ時間（ＲＴＴ）の減少により、基地局のカウントダウン値の最大値（ＢＳ＿ＣＶ＿ＭＡＸ）を減らすことができる。ラウンドトリップ時間とは、パケットの送信と応答との間の時間遅延である。ラウンドトリップ時間が短すぎる、或いは長すぎる場合には、メッセージは、不必要に再送信され得るであろう。基地局のカウントダウン値の最大値は、例えば、９から３まで下がる。
【００５４】
ある実施形態では、基地局１６２、１６４は、パケット制御ユニット１６８から送信されたアップリンクＡＣＫメッセージのＡＣＫビットマップを変更して、基地局１６２、１６４内の最新の状況を表すことができる。アップリンクのＡＣＫウィンドウが先へ進むことを可能にするために、パケット制御ユニット１６８が、基地局１６２、１６４に、前に送られた否定応答されたアップリンクＲＬＣブロックを破棄するように命令することもまた、可能である。
【００５５】
もう１つの実施形態では、基地局１６２、１６４が、ＡＣＫ／ＮＡＣＫメッセージを生成し、かつ、パケット制御ユニット１６８からの制御情報により、ダウンリンクＲＬＣデータブロックを、生成されたアップリンクＡＣＫ／ＮＡＣＫメッセージに置き換える。パケット制御ユニット１６８によって許可され、アップリンクＡＣＫ／ＮＡＣＫ送信条件が満たされたとき、基地局１６２、１６４は、ＲＬＣブロックを、その基地局１６２、１６４において生成されたアップリンクＡＣＫ／ＮＡＣＫメッセージに置き換える。例えば、最後のアップリンクブロックが示されたとき、移動局１７０は、幾つかのアップリンクブロックを再送信しなければならない。
【００５６】
ある実施形態では、基地局１６２、１６４が、パケット制御ユニット１６８からの制御情報に基づいて、通常はパケット制御ユニット１６８によって実施されるダウンリンク再送信を、実施することができる。復号された（見つけ出された）ダウンリンクＡＣＫ／ＮＡＣＫメッセージにより、ダウンリンク再送信を実施することができる。基地局１６２、１６４は、ダウンリンク再送信を実施するために、ダウンリンクブロックを既に格納しているＡｂｉｓ機構によって、基地局１６２、１６４へのポインタ再送信を再利用することができる。基地局１６２、１６４は、移動局１７０からのダウンリンクＡＣＫメッセージビットマップを復号し、たとえば、パケット制御ユニット１６８が、特定のブロックフローについて順番を割り当てたとき、ＮＡＣＫされたブロックを再送信する。基地局１６２、１６４は、ＲＬＣダウンリンク送信について、通常の優先順位を使用することができ、その順位は、再送信、新しいブロック、及び保留状態のブロック、である。基地局１６２、１６４は、パケット制御ユニット１６８の既存のルールによる再送信のために、破壊方式、及び／又は変調‐符号化方式、を選択することができる。しかしながら、例えば、新しいＴＲＸへの再割り当ての場合、或いは再分割の場合、パケット制御ユニット１６８は、さらに再送信を実施することができる。全体的な再送信制御は、パケット制御ユニット１６８にとどまっており、それは例えば、各一時ブロックフローについて、再送信メモリをリセットすることができる。ダウンリンクデータブロックを再送信するとき、基地局は、それについて、パケット制御ユニットに知らせることができる。次に、パケット制御ユニットは、そのダウンリンク再送信アルゴリズムにおいて、この情報を利用することができる。
【００５７】
ある実施形態では、基地局１６２、１６４が、パケット制御ユニット１６８から受信された制御情報に基づいて、ダウンリンクポーリングを実施する。パケット制御ユニット１６８は、基地局１６２、１６４が、例えば伝送されたＲＬＣブロックごとにｐｏｌｌ＿ｅｎａをセットすることによりポーリングを実施することを、可能にする。したがって、ポーリング条件が満たされる場合、すなわち、例えばカレントブロックが最後のブロックである場合には、基地局１６２、１６４は、ポーリングビットをセットすることができる。基地局１６２、１６４がアップリンク状態フラグ（ＵＳＦ）をセットできる場合には、基地局１６２、１６４が、例えば＋６０ｍｓで、というような適当な時間におけるポーリング応答のために、そのＵＳＦを「保持する」こともまた可能である。
【００５８】
次に、データ伝送制御方法の図３の例を検討しましょう。図３では、第１の縦線ＭＳ１７０が、移動局から発する、及び移動局において終了する通信を示している。第２の縦線ＢＴＳ１６２は、基地局の通信、及び基地局によってとられた措置、を示している。第３の縦線ＰＣＵ１６８は、パケット制御ユニットの通信、及びパケット制御ユニットにおいてとられた措置、を示している。
【００５９】
図３の例は、ダウンリンク状況における方法を示している。制御、及びデータブロックは、移動局、パケット制御ユニット、及び基地局の間で伝達される。制御ブロックは、無線システムにおけるデータ伝送を制御するためのものである。
【００６０】
概要として、３０４では、所定の制御データブロックの送信に関連するどの所定のパケット制御ユニットの機能を、パケット制御ユニットから基地局へ配信すべきかが、パケット制御ユニットによって特定される。３０６では、パケット制御ユニットが、どのパケット制御ユニットの機能を基地局に配信するかについての制御情報を、基地局に提供する。制御情報には、パケット制御ユニットから基地局へ伝送されたＲＬＣブロックが与えられることができる。しかしながら、基地局がまた、どの所定のパケット制御機能を実施することを可能にするか特定することができ、次に、基地局が、どの所定のパケット制御ユニットの機能をその基地局でイネーブルするかについての通知を、パケット制御ユニットに送信することができる、ということもまた可能である。次に、パケット制御ユニットは、その通知に基づいて、それ自身の動作を調整することができる。基地局は、それ自身で、或いはパケット制御ユニットから受信した情報に基づいて、どの機能をイネーブルにするか特定することができる。従って、パケット制御ユニット、及び基地局の両方が、所定の配信される機能をイネーブルすることを制御することが、可能である。ステップ３０８〜３２２は、パケット制御ユニットから受信した制御情報に基づいて、所定の制御データブロックについて、基地局により実施されるパケット制御ユニットの機能の例、を説明している。
【００６１】
３００では、第１のパケットダウンリンクＡＣＫ／ＮＡＣＫメッセージを、移動局から基地局へ送信する。３０２では、基地局がさらに、変更されていない第１のパケットダウンリンクＡＣＫ／ＮＡＣＫメッセージを、パケット制御ユニットに伝送する。３０４では、例えばパケット制御ユニットによって受信されたメッセージに基づいて、所定の制御データブロックの送信に関連するどのパケット制御ユニットの機能を、パケット制御ユニットから基地局へ配信すべきかを、パケット制御ユニットが特定することができる。パケット制御ユニットにより受信されたメッセージは、例えば移動局とパケット無線システムとの間のフロー転送メッセージ、又は移動局から、或いはサービング汎用パケット無線サービスサポートノードから受信したサービス品質のメッセージ、を含む。３０４では、パケット制御ユニットが、例えば第１のパケットダウンリンクＡＣＫ／ＮＡＣＫメッセージ内に含まれる情報に基づいて、所定の制御データブロックの送信に関連するいずれかのパケット制御ユニットの機能を配信する必要があるかどうか、特定することが可能である。
【００６２】
３０６では、第２のＲＬＣブロックを、パケット制御ユニットから基地局へ送信する。ある実施形態では、３０８において、基地局が、移動局から受信したダウンリンクＡＣＫ／ＮＡＣＫメッセージを復号し、その同じ一時ブロックフローにおけるＮＡＣＫされたＲＬＣブロックが基地局バッファ内に存在するかどうか検出し、存在する場合には、ＲＬＣブロックを最も古いＮＡＣＫされたブロックに置き換える。基地局はまた、否定応答メッセージの再送信のために、破壊、及び変調符号化方式を選択することができる。
【００６３】
３１０では、第１のＮＡＣＫされたＲＬＣブロックを移動局へ再送信し、従って、約１００ｍｓ早いダウンリンク再送信時間を実現することを可能にする。３１２では、基地局において、パケット制御ユニットから第３のＲＬＣブロックを受信する。３１４では、基地局は、受信されたＲＬＣブロックのトラックを保持し、３１６において、第２のＲＬＣブロックを移動局へ送信する。３１８では、基地局において、第２のパケットダウンリンクＡＣＫ／ＮＡＣＫメッセージを受信し、３２０では、基地局の再送信バッファ内で、ダウンリンクブロックの状態を、応答されたように変更する。最後に、３２２では、第２のダウンリンクＡＣＫ／ＮＡＣＫメッセージをパケット制御ユニットへ送信する。
【００６４】
もう１つの実施形態では、パケット制御ユニットの機能を実施するステップがまた、基地局によってポーリングを実施することを含む。その場合、３０６では、パケット制御ユニットが、基地局がポーリングを実施することを可能にする制御情報を送信する。３０８では、基地局が、移動局から受信されたダウンリンクＡＣＫ／ＮＡＣＫメッセージを復号し、その同じ一時ブロックフローにおけるＮＡＣＫされたＲＬＣブロックが基地局バッファ内に存在するかどうかを検出し、存在する場合には、ＲＬＣブロックを最も古いＮＡＣＫされたブロックに置き換える。次に基地局は、否定応答メッセージの再送信のために、破壊、及び変調符号化方式を選択する。さらに、送信されたＲＬＣブロックが最後のブロックであり、かつパケット制御ユニットによりポーリングが可能にされる場合には、基地局は、ポーリングビットをセットし、ポーリング応答のためにアップリンク状態フラグを保持する。従って、約１００ｍｓ早い最後のブロックのポーリングを可能にする。移動局がダウンリンクＲＬＣデータブロックを受信したか、していないかを素早く特定するために、及び可能な最も速い応答時間を可能にするために、基地局ベースのポーリングはまた、データブロック伝送の最中にイネーブルされることができる。
【００６５】
次に、データ伝送制御方法の図４の例を検討しましょう。図４では、第１の縦線ＭＳ１７０が、移動局から生じる、及び移動局で終了する通信を示している。第２の縦線ＢＴＳ１６２は、基地局の通信、及び基地局によってとられた措置、を示している。第３の縦線ＰＣＵ１６８は、パケット制御ユニットの通信、及びパケット制御ユニットにおいてとられた措置、を示している。図４の破線は、本方法の代替のステップを示している。
【００６６】
図４の例は、アップリンク状況における方法を示している。４００では、移動局、基地局、及びパケット制御ユニット間で伝送される制御データブロックが、アップリンクＡＣＫ／ＮＡＣＫメッセージを含み、所定のパケット制御ユニットの機能を実施するステップが、アップリンクＡＣＫ／ＮＡＣＫメッセージを生成、又は操作することを含む。
【００６７】
４００では、移動局が、ネットワークのラウンドトリップ時間のその情報に基づいて、基地局のカウントダウン値の最大値を９から３まで減らす。４０２では、所定の制御データブロックの伝送に関連するどの所定のパケット制御ユニットの機能を、パケット制御ユニットから基地局へ配信すべきかが、パケット制御ユニットによって特定される。４０４では、パケット制御ユニットが、基地局に、どのパケット制御ユニットの機能を基地局に配信するかについての制御情報を提供する。例えば、制御情報は、Ｌ１レイヤ信号メッセージ内に含まれることができる。また、内部一時フロー識別情報（Ｉ  ＴＦＩ）が、基地局に伝送される。基地局が受信されたデータブロックをつなぐことを可能にするために、アップリンク方法において、内部一時フロー識別情報が必要とされる。
【００６８】
４０６では、基地局が、内部一時フロー識別情報テーブルを変更する。４０８では、アップリンクＲＬＣブロックが基地局において受信され、４１０では、基地局が、受信されたアップリンクＲＬＣブロックが有効であるかどうか、検出する。例えば、ＣＲＣ（巡回冗長検査）の合計を使用することにより、アップリンクＲＬＣブロックの有効性を検査することができる。アップリンクＲＬＣブロックが有効である場合には、４１２において、アップリンクＲＬＣブロックがパケット制御ユニットに送信され、実ブロックがＡＣＫされたとセットされる。しかしながら、アップリンクＲＬＣが無効である場合には、不良フレーム指示子（ＢＦＩ）がパケット制御ユニットへ送信され、実逆シーケンス番号がＮＡＣＫされたとセットされる。
【００６９】
４１６では、基地局において、パケットアップリンクＡＣＫ／ＮＡＣＫメッセージが、パケット制御ユニットから受信される。４１８では、基地局内の最新状態により、受信されたパケットアップリンクＡＣＫメッセージ内のＡＣＫビットマップが変更される。ＡＣＫビットマップは、それから基地局の現在の状態を解釈することができるように、変更される。最後に、４２０では、変更されたＡＣＫビットマップにより、パケットアップリンクＡＣＫ／ＮＡＣＫメッセージが、基地局から移動局へ送信される。この実施形態は、ＡＣＫ期間に依って、１００ｍｓ〜３００ｍｓ速いＮＡＣＫ時間を可能にする。
【００７０】
４１４の破線で示されたもう１つの実施形態では、最後の制御データブロックが関与している場合には、基地局において、アップリンクＡＣＫ／ＮＡＣＫメッセージが生成される。パケット制御ユニットは、基地局に、アップリンクＡＣＫ／ＮＡＣＫメッセージを生成する許可を与えることができる。基地局は、初めに、最後のブロックが関与しているかどうかを検出し、関与している場合には、アップリンクＡＣＫ／ＮＡＣＫメッセージを生成することができる。４１６では、パケット制御ユニットが、アップリンクＡＣＫメッセージ生成を可能にすることを含む制御情報を、送信する。４１８では、パケット制御ユニットから受信された制御情報により、基地局が、パケット制御ユニットから受信された可能性のあるダウンリンクデータブロックを、生成されたアップリンクＡＣＫ／ＮＡＣＫメッセージで置き換える。４２０では、その置き換えられた生成されたパケットアップリンクＡＣＫ／ＮＡＣＫメッセージを、移動局へ送信する。この実施形態は、１６０ｍｓ〜２００ｍｓ速いＮＡＣＫ時間を可能にすることができる。
【００７１】
添付図面による例に関して、上記で本発明を説明したが、本発明はそれらに制約されず、幾つかの方法により、添付の特許請求の範囲の技術的範囲内で変更できることが明らかである。
【図面の簡単な説明】
【００７２】
【図１】無線システムの構造を示す簡略ブロック図である。
【図２】無線システムの構造を示す、もう１つの例である。
【図３】パケット無線システムにおけるデータ伝送を制御する方法を示す、信号シーケンスダイヤグラムである。
【図４】パケット無線システムにおけるデータ伝送を制御する方法の例を示す、もう１つの信号シーケンスダイヤグラムである。
【図１】
2007526681.tif 000003
【図２】
2007526681.tif 000004
【図３】
2007526681.tif 000005
【図４】
2007526681.tif 000006
【国際調査報告】
2007526681.tif 000007
2007526681.tif 000008
2007526681.tif 000009